(57)【要約】【課題】携帯電話会社の収益源を多様化することにより通信料の割引又は無料化の途を開く。【解決手段】携帯電話機10と相手の電話機とを接続する伝達装置14には、ホームメモリ16の他にＣＭ配信装置22が接続され、ＣＭ配信装置22から供給されるＣＭ情報が伝達装置14、無線基地局18を通じて発呼側携帯電話機10に配信される。このＣＭ情報の配信は、発呼側携帯電話機10の認証が完了した後であって且つ回線接続設定の前に実行される。これにより相手の電話機20を呼び出している最中に発呼側携帯電話機10のスピーカから聞こえるコール音の前にＣＭ情報が発呼側携帯電話機10から出力される。【選択図】図１
2010050959.tif 000002
【特許請求の範囲】
【請求項１】
携帯電話機に接続先の電話番号を入力すると共に発呼動作開始指令を入力することに伴って該発呼側携帯電話機と携帯電話会社の伝達装置との間で実行される認証作業とその後の回線接続設定との間に、前記伝達装置からＣＭ情報が前記発呼側携帯電話機に送信され、該発呼側携帯電話機のスピーカからコール音が出力される前に前記ＣＭ情報が音声で出力されることを特徴とする携帯電話機を使った広告方法。
【請求項２】
前記ＣＭ情報に、前記発呼側携帯電話機のディスプレーに表示可能な画像によるＣＭが含まれ、該ＣＭ画像が、前記発呼側携帯電話機のスピーカからコール音が出力される前の前記音声によるＣＭ情報と共に該発呼側携帯電話機のディスプレーに表示される、請求項１に記載の携帯電話機を使った広告方法。
【請求項３】
前記ＣＭ情報に公共情報が含まれ、該広告情報が、前記発呼側携帯電話機のスピーカからコール音が出力される前の前記音声によるＣＭ情報の前後に音声で出力される、請求項１又は２に記載の携帯電話機を使った広告方法。
【請求項４】
前記広告情報に、前記発呼側携帯電話機のディスプレーに表示可能な画像による公共情報が含まれ、該公共情報画像が、前記発呼側携帯電話機のスピーカからコール音が出力される前の前記音声による公共情報の出力と共に該発呼側携帯電話機のディスプレーに表示される、請求項３に記載の携帯電話機を使った広告方法。
【請求項５】
前記公共情報が緊急情報であるときに、前記ＣＭ情報の前に前記発呼側携帯電話機から出力される、請求項３又は４に記載の携帯電話機を使った広告方法。
【請求項６】
前記ＣＭ情報が、配信する領域が広域の広域ＣＭ情報と、配信する領域を地域に限定したローカルＣＭ情報とを含む、請求項１又は２に記載の携帯電話機を使った広告方法。
【請求項７】
前記携帯電話機の所有者の選択により、配信を受けるＣＭ情報として広域ＣＭ情報又はローカルＣＭ情報のいずれか一方が前記発呼側携帯電話機に供給される、請求項５に記載の携帯電話機を使った広告方法。
【請求項８】
前記携帯電話機の所有者の選択により、配信を受けるＣＭ情報のジャンルを指定できる、請求項７に記載の携帯電話機を使った広告方法。
【請求項９】
前記携帯電話機の所有者が選択したジャンルが会員登録情報データベースに記憶される、請求項８に記載の携帯電話機を使った広告方法。
【請求項１０】
回線接続設定が完了した後の着呼側電話機の呼び出し及び送信側携帯電話機のコール音を前記ＣＭ情報の出力が完了するまで遅延させる、請求項１又は２に記載の携帯電話機を
使った広告方法。
【発明の詳細な説明】
【技術分野】
【０００１】
本発明は携帯電話機を使った広告方法に関する。
【背景技術】
【０００２】
テレビＣＭを中心にしたマスメディア広告は、消費社会の熟成に伴ってその効果が薄れてきたと言われており、インターネットを使ったWeb広告が台頭してきている。特許文献１は、インターネットに接続可能なテレビ（ＴＶ）受信機でＵＲＬデータを放送すると共にＴＶ受信機が自動的にインターネットからＣＭの詳細データ（コンテンツ）をダウンロードし、ＴＶ受信機に配信されたコンテンツをプリンタを使って出力することを提案している。
【０００３】
日本では、携帯電話（ＰＨＳを含む）の人口に対する普及率が８４％（２００８年３月現在）に達したと言われている。また、昨今の携帯電話機は、ワンセグ放送対応、フルブラウザ対応というように高機能化して大容量のコンテンツを容易に利用できるようになったことにより、インターネットの利用に関し、携帯電話機の利用者数がパーソナルコンピュータの利用者数とほぼ同じになったと言われている。このように携帯電話機が普及し且つ高機能化した今日、携帯電話機を広告媒体して利用する提案が行われている（特許文献２、３など）。
【０００４】
特許文献２は、特に携帯電話機に限定して発明を開示している訳ではないが、電話料金の割引を実現するために、発呼側電話機に接続先電話機の電話番号（相手の電話番号）を入力する際に、この相手の電話番号の前に特定の番号を付加することで発呼側電話機に所定のメッセージ（ＣＭ）を送信することを提案している。電話をかけた者は所定のメッセージを聞いた後に相手と通話することができる。
【０００５】
特許文献３は、広告情報を格納した広告主サーバから携帯電話機に広告情報格納信号を配信し、携帯電話機からのダウンロード要求信号を受けて広告主サーバから当該携帯電話機に広告情報を配信すると共に、当該携帯電話機で視聴された広告情報の視聴単位（視聴時間又はアクセス回数）をモニタリングして、モニタリングした視聴単位に応じた対価の通話料金や電子メール料金を割り引することを提案している。この特許文献３は、また、他の実施例として、携帯電話機からのダウンロード要求信号を受けて広告主サーバから当該携帯電話機に広告情報のサブジェクトを配信することを提案している。これにより、携帯電話機の所有者は一以上の広告情報のサブジェクトを視聴することになる。そして、携帯電話機の所有者が所望のサブジェクトを選択したときには、選択サブジェクトダウンロード要求信号を広告主サーバに送信し、これにより携帯電話機の所有者は広告主サーバから選択サブジェクトの詳細な広告内容を受け取ることができる。
【先行技術文献】
【特許文献】
【０００６】
【特許文献１】特開２００４−１８６８４７号公報
【特許文献２】特開平１１−３４１１８３号公報
【特許文献３】特開２００６−１４０６８８号公報
【発明の概要】
【発明が解決しようとする課題】
【０００７】
携帯電話会社の収益源は携帯電話契約者の通信料が主体となっていることもあり、特に携帯電話機を活用している若年層にとっては通話料が経済的に大きな負担になっている、という報道が見られる。
【０００８】
他方、大量消費時代で活躍したテレビＣＭを中心にしたマスメディア広告は上述したようにその役割も限定的になってきており、ターゲットを絞り込んだ他の広告手法が模索されている。また、折り込みチラシや地域フリーペーパーなどの広告主である地域密着型の商店、スーパーマーケットにあっては、タイムセール、大売り出し等の際に更なる集客能力を期待したい、との声が当然の如く存在している。
【０００９】
本発明の目的は、携帯電話会社の収益源を多様化することにより通信料の割引又は無料化の途を開くことのできる携帯電話機を使った広告方法を提供することにある。
【００１０】
本発明の更なる目的は、大企業に限られず地域社会に密着した個人商店でも気軽に広告主となることができ、且つ、性別、世代を絞り込んだ戦略的な広告を展開することのできる携帯電話機を使った広告方法を提供することにある。
【課題を解決するための手段】
【００１１】
本発明を説明する前に、携帯電話機における従来の回線接続の一連の処理動作を図８を参照して説明すると、発呼側携帯電話機１０に接続先電話番号を入力して通話ボタンを押し下げるなど発呼側携帯電話機１０に発呼動作開始指令を入力すると、発呼側携帯電話機１０と携帯電話会社１２の伝達装置１４との間で認証処理が実行される。すなわち、伝達装置１４は、サービス要求信号を送ってきた発呼側携帯電話機１０が携帯電話会社１２のホームメモリ１６に登録されている加入電話端末であるか否かの確認処理が実行される。この確認処理つまり認証処理が終わると、発呼側携帯電話機１０は、最寄りの無線基地局１８に接続先電話番号を含む呼設定要求信号を送信する。
【００１２】
携帯電話会社１２は、発呼側携帯電話機１０からの呼設定要求信号を受け取ると着呼側電話機２０と発呼側の携帯電話機１０との回線を接続するための設定処理を実行し、この回線接続設定が完了して回線が確立すると、発信者は発呼側携帯電話機１０から聞こえてくるコール音を耳にすることで相手を呼び出していることを知ることができる。そして、着呼側の者は、着呼側電話機２０から聞こえる呼び出し音によって電話がかっていることを知る。そして、仮にこの着呼側電話機２０が携帯電話機であれば通話ボタンを押し下げることにより発呼者と通話することができる。そして、通話が終わったら発呼側又は着呼側の少なくとも一方が通話切断ボタンを押し下げる又は着呼側の電話機が固定電話であれば受話器を電話機本体に戻すことで接続回線を切断することができる。
【００１３】
本願発明者は、携帯電話機を使って電話をかけるときに、通話ボタンを押し下げるなど発呼動作開始指令を入力してからコール音を耳にするまでの間に数秒の待ち時間があるのに着目して本発明を案出するに至ったものである。
【００１４】
前述した技術的課題は、本発明によれば、
携帯電話機に接続先の電話番号を入力すると共に通話ボタンを押し下げるなどの発呼動作開始指令を入力することに伴って該発呼側携帯電話機と携帯電話会社の伝達装置との間で実行される認証作業とその後の回線接続設定との間に、前記伝達装置からＣＭ情報が前記発呼側携帯電話機に送信され、該発呼側携帯電話機のスピーカからコール音が出力される前に前記ＣＭ情報が音声で出力されることを特徴とする携帯電話機を使った広告方法を提供することにより達成される。
【００１５】
図１は、本発明の概念を説明するための図である。この図１を参照して、伝達装置１４つまり交換局には、ホームメモリ１６の他にＣＭ配信装置２２が接続され、ＣＭ配信装置２２から供給されるＣＭ情報が伝達装置１４、無線基地局１８を通じて発呼側携帯電話機１０に送信可能である。このＣＭ情報の配信は、発呼側携帯電話機１０の認証が完了した後であって且つ着呼側との回線接続が確立する前に実行される。これにより着呼側の電話機２０（図８）を呼び出す前つまり着呼側との回線接続処理を行っている最中からＣＭ情報を発呼側携帯電話機１０のスピーカやディスプレーを通じて出力することができる。出力の方法としては音声によるＣＭの他に画像によるＣＭを含んでいてもよく、ＣＭ画像は動画であってもよく、あるいは静止画であってもよく、また、テロップであってもよい。
【００１６】
これによれば、携帯電話会社はＣＭ配信料を広告主から入手することができることから、このＣＭ配信料によって携帯電話機の電話料の割引きや無料化の途を開くことができる。
【図面の簡単な説明】
【００１７】
【図１】本発明の概念を説明するための図である。
【図２】実施例の広告方法を実施するのに適用可能な携帯電話網の全体構成の概略図である。
【図３】実施例の広告方法を実施する携帯電話網の具体的な構成図である。
【図４】ＣＭ配信装置に記憶される広域ＣＭ情報、ローカルＣＭ情報、公共情報、会員登録情報の概要を説明するための図である。
【図５】携帯電話機の所有者が配信を求めるＣＭのジャンルやローカルＣＭ、広域ＣＭのいずれかを選択するために携帯電話機のディスプレーに表示される選択画面を説明するための図である。
【図６】ＣＭ１〜ＣＭ３のユニットから成るＣＭ情報を発呼側携帯電話機に配信し、この３つのＣＭ１〜ＣＭ３の出力が全て完了した後に着呼側電話機が応答した場合の例を示すフローである。
【図７】ＣＭ１〜ＣＭ３のユニットから成るＣＭ情報を発呼側携帯電話機に配信し、この３つのＣＭ１〜ＣＭ３の出力が全て完了する前に着呼側電話機が応答した場合の例を示すフローである。
【図８】携帯電話機に相手の電話番号を入力した後、相手と通話し、そして切断ボタンを押し下げて回線を切断処理する従来の一連の工程を説明するための図である。
【発明を実施するための形態】
【実施例】
【００１８】
以下に、添付の図面に基づいて本発明の好ましい実施例を説明する。
【００１９】
図２は携帯電話網の概要を示す図であり、図３は実施例の構成例を示す図である。図２、図３を参照して、各セル３０毎に無線基地局１８が設置され、発呼側の携帯電話機１０から無線基地局１８に届いた音声は、光ファイバなどの伝送路を通じてノードビル３２に到達し、そして、更に他のノードビル３４を経由して着呼側の電話機２０に伝達される。具体的には、ゲートウエイ３６によってインターネット網に接続され、関門交換機３８によって他の携帯電話会社や固定電話網に接続される。
【００２０】
携帯電話会社１２の伝達装置１４は、図３に図示の無線ネットワーク制御装置４０、加入者交換機又は加入者パケット交換機４２、中継交換機４４を含み、中継交換機４４には、ホームメモリ１６とＣＭ配信装置２２が接続されている。
【００２１】
ホームメモリ１６は、既知のように、契約加入者の携帯電話機１０のデータを記録しているデータベースであり、契約加入者のデータには、加入契約書に書き込まれている住所、氏名、年齢、性別など属性が含まれる。
【００２２】
携帯電話機１０が移動すると、携帯電話機１０の移動に伴って、それまで交信していた基地局Ａ−１との交信から隣のセル３０の基地局Ａ−２（図２）との交信に移行して携帯電話機１０の通話を持続するハンドオーバー処理が行われる。加入者のデータがＡの伝達装置１４（図３）のホームメモリ１６に記憶されている場合に、例えば遠方への出張でＡの伝達装置１４の管轄から離れたＢの伝達装置１４の管轄に入ったときには、当該Ｂの伝達装置１４のホームメモリ１６にビジターホームメモリが作成される。
【００２３】
図１を参照して、発呼側の携帯電話機１０は、相手（着呼側）の電話番号を入力すると共に、音声や「通話ボタン」を押し下げるなどの発呼動作開始指令を入力すると、交換機４２、４４との間で認証処理が実行される。認証は、発呼側携帯電話機１０が自社と契約している電話機であるか否かを確認する処理であり、この認証処理が終わると、回線を接続するための処理が行われる。この回線接続設定処理では、先ず発呼側携帯電話機１０から相手の電話番号（接続先番号）が交換機４２、４４に送信される。また、認証処理が終わると、上記回線接続設定処理とは別に、図１から分かるように、ＣＭ情報がＣＭ配信装置２２から発呼側携帯電話機１０に配信され、発呼側携帯電話機１０からＣＭ情報が出力される。
【００２４】
ＣＭ情報を発呼側携帯電話機１０に送信するタイミングは、交換機４２、４４が発呼側携帯電話機１０から相手の電話番号（接続番号）を受信する前又は後であってもよいし、交換機４２、４４が発呼側携帯電話機１０から相手の電話番号を受信したのをトリガとしてＣＭ情報を発呼側携帯電話機１０に送信するようにしてもよい。
【００２５】
接続回線を設定する処理は従来と同じであり、中継交換機４４は、通話に使用するチャンネルなどの回線の設定を行う一方で、関門交換機３８に対して相手の電話番号を送信して、関門交換機３８を介して相手の電話機２０（図８）への回線の設定を行う。この一連の呼設定の処理が完了して接続回線が確立すると、相手の電話機２０の呼び出しが実行される。発呼側の携帯電話機１０ではＣＭ情報がスピーカから流れているときには、このＣＭ情報が終了した時点から呼び出し音が出力される。
【００２６】
ＣＭ配信装置２２は、図４に示すように、広域ＣＭ情報５０、ローカルＣＭ情報５２の記憶領域の他に、好ましくは公共情報５４の記憶領域を有している。広域ＣＭ情報５０は、配信地域を限定しない日本全国に配信されるＣＭが対象となる。広域ＣＭ情報５０は、登録された各ＣＭ毎に、数秒のアブストラクトＣＭ（「Ａ自動車会社はＢ車をモデルチェンジしました。」や「キャッチフレーズ」）、一回の配信で携帯電話機から出力するリピート回数（例えば、配信を受けた携帯電話機が１回だけＣＭ情報を出力するのか、２回ＣＭ情報を出力するのかという出力回数）、詳細なＣＭ（例えば商品の特徴）、契約した配信回数又は期間などが含まれる。
【００２７】
ローカルＣＭ情報５２は、配信地域を限定したＣＭが対象となり、このローカルＣＭ情報５２は、基地局１８又は小規模ノードビル３２のサービスエリアを単位として配信地域を限定したＣＭが対象となり、各ＣＭ毎にその配信領域が記憶されている。すなわち、ローカルＣＭ情報５２は、登録された各ＣＭ毎に、広告主が指定する配信領域、数秒のアブストラクトＣＭ（例えば「ＡＡ商店で本日００時から１時間のタイムサービスを行います。」）、その詳細なＣＭ（例えば「００時から１時間のタイムサービスでは、Ａが・・円、Ｂが・・円、Ｃが・・円、Ｄが・・円、Ｅが・・円、Ｆが・・円の大安売りです。」）、配信領域、一回の配信で携帯電話機から出力するリピート回数、配信期間又は期間などが含まれる。
【００２８】
なお、旅行や出張でビジターホームメモリが他のホームメモリ１６に作成されたときには、この他のビジターホームメモリのサービスエリアに基づいてローカルＣＭが配信されるのがよい。
【００２９】
公共情報５４は都道府県や市町村に限定した領域又は全国を対象にした公共に関する情報が対象となり、最も典型的には地震、水害、津波などの天災地変、台風の予告や避難情報、事件、事故、失踪者情報の他に、迷子のペットや落とし物などを挙げることができ、各情報には緊急度が登録される。例えば津波情報などの時間的余裕の無い情報には緊急度「大」が登録され、落とし物などの場合には、緊急度「小」が登録される。また、台風などの場合には、時々刻々緊急度が更新され、この後直ぐに台風の影響が現れる時点になったら緊急度「大」に更新される。
【００３０】
公共情報５４の具体例としては、「ｘ時ｙ分頃、Ａを震源地とするマグニチュードＢＢの地震が発生します。至急火元を消して下さい。」「ｘ時ｙ分にＡを震源地とする地震によりＢ地方に津波が発生しますので至急高台に避難して下さい。」などを挙げることができる。
【００３１】
回線接続設定処理（呼設定処理）中に発呼側携帯電話機１０から出力されるＣＭは、広域ＣＭ情報及びローカルＣＭ情報共にアブストラクトＣＭが対象とされ、このアブストラクトＣＭは携帯電話機１０のスピーカを通じた音声ＣＭだけであってもよいが、静止画、動画やテロップを含んでいてもよく、静止画、動画、テロップは携帯電話機１０のディスプレー１０ａに音声ＣＭと共に発呼側携帯電話機１０の表示部に表示される。
【００３２】
好ましい実施の形態として、ＣＭ配信装置２２から発呼側携帯電話機１０に送信するＣＭデータは、上述したアブストラクトＣＭの他に詳細ＣＭを含めるのがよく、この詳細ＣＭを発呼側携帯電話機１０の通話切断ボタンが操作された直後に、この発呼側携帯電話機１０から出力される。発呼側携帯電話機１０から出力される詳細ＣＭには、音声ＣＭ及び／又は静止画、動画ＣＭが含まれる。通話切断ボタンを操作した直後の詳細ＣＭの出力は、これを実行するプログラムによって実行され、このプログラムは発呼側携帯電話機１０に予めインストールされる。勿論、通話の後に、このような詳細ＣＭを発呼側携帯電話機１０で出力するか否かはユーザの意思に委ねられ、この詳細ＣＭを出力するか否かは予め登録することができる。この登録は、発呼側携帯電話機１０の内部メモリに対して行うようにしてもよいし、或いは、後に説明するＣＭ配信装置２２の会員登録情報に加えてもよい。会員登録情報に、「詳細ＣＭ拒否」を登録したときには、当該会員の携帯電話機１０に対して詳細ＣＭの配信が行われない。
【００３３】
ＣＭ配信装置２２は、図４に示すように、会員登録得情報５６を含んでいるのがよい。勿論、ホームメモリ１６の契約者登録情報をＣＭ配信装置２２の会員登録情報として利用してもよい。会員登録情報５６は、携帯電話機１０を購入した際又はその後にＣＭ配信を了承した者が会員としてデータベース化される。各会員のデータベースは、氏名、年齢、性別などの基本属性の他に、嗜好や、配信を希望するジャンルなど会員が自ら選択した付加的な属性を含み、この付加的な属性は、会員が携帯電話機１０を使ってＣＭ会員サーバ６０に随時アクセスすることで更新することができ、ＣＭ会員サーバ６０に送られて来た情報は、ＣＭ配信装置２２の会員登録データベースに記憶される。
【００３４】
図５は、携帯電話機１０を使ってＣＭ会員サーバ６０（図２）にアクセスしたときに携帯電話機１０のディスプレー１０ａに表示される選択画面を説明するための図である。図５の（Ａ）は、ローカルＣＭを選択するか否かを登録する画面を示す。ローカルＣＭを選択したときには、当該携帯電話機１０に対してローカルＣＭと公共情報が配信される。他方、ローカルＣＭを選択しなかったときには、当該携帯電話機１０に対して広域ＣＭと公共情報が配信される。
【００３５】
図５の（Ｂ）は、会員が配信を希望するジャンルを選択する表示画面を示す。選択することのできるジャンルの設定は任意であるが、この例では、自動車、食品、住宅、家電製品、化粧品、ファッションなどに分類されている。例えば、化粧品を選択したときには、当該携帯電話機１０に対して化粧品に関連したＣＭ情報が優先的に配信される。
【００３６】
ジャンルの変更があったときには、ＣＭ会員サーバ６０（図２）からジャンルの変更情報がＣＭ配信装置２２又はホームメモリ１６に供給され、ＣＭ配信装置２２又はホームメモリ１６の会員登録情報が更新されると共に選択ジャンルの履歴ログが作成される。
【００３７】
ＣＭ配信装置２２から発呼側携帯電話機１０に送信されるＣＭ情報は、会員登録情報５６に従って決定され、当該会員が希望するジャンルのＣＭ及びローカルＣＭ又は広域ＣＭと共に公共情報が発呼側携帯電話機１０に配信される。緊急度の高い公共情報の場合は、優先的に発呼側携帯電話機１０から出力するのがよい。これにより、発呼側携帯電話機１０から例えば津波情報が出力され、次いでＣＭ情報が出力される。勿論、緊急度の高い公共情報を反復して出力するようにしてもよい。
【００３８】
また、発呼側携帯電話機１０において、着呼側の電話機が応答する前、つまり、着呼側が通話し始める前に、アブストラクトＣＭの音声出力が終了するのを約束するために、アブストラクト音声ＣＭが完了するまでコール音及び着呼側の電話機２０の呼び出しを遅延させる手段を講じてもよい。すなわち、図１に示す回線接続設定（呼設定）が素早く終了したときには、発呼側携帯電話機１０のコール音及び着呼側電話機２０の呼び出しを、アブストラクト音声ＣＭが完了するまで実行しないプログラムを組み込むようにしてもよい。例えば、一組のアブストラクトＣＭ（ローカルＣＭ又は広域ＣＭと公共情報の組）の時間枠を６秒と設定したときに、その１秒前に回線接続設定が完了したときには１秒間、発呼側携帯電話機１０のコール音及び着呼側電話機２０の呼び出しを遅延させるようにしてもよい。これによれば、予定したアブストラクトＣＭが途中で終わってしまうのを防止することができる。
【００３９】
着呼側の違和感を解消するのに、着呼側の電話機２０が応答したとき、着呼側電話機２０が携帯電話機であれば通話ボタンを押し下げたとき、着呼側電話機２０が固定電話機であれば受話器を持ち上げたときに、この応答信号を発呼側携帯電話機１０に送信して、この応答信号をトリガにしてＣＭ情報の出力を強制終了するようにしてもよい。
【００４０】
具体例を図６、図７を参照して説明する。例示として、発呼側携帯電話機１０に３つのＣＭ情報がＣＭ配信装置２２から供給されたとする。図６は、この３つのＣＭ情報（ＣＭ１、ＣＭ２、ＣＭ３）の全てが発呼側携帯電話機１０から出力された後に着呼側電話機２０が応答した例を示す。図７は、３つのＣＭ情報（ＣＭ１、ＣＭ２、ＣＭ３）の全てが発呼側携帯電話機１０から出力される前に着呼側電話機２０が応答した例を示す。
【００４１】
図６を参照して、前述した認証処理が完了すると直ちにＣＭ情報（ＣＭ１〜３）がＣＭ配信装置２２から送信され、発呼側携帯電話機１０はこれを受信すると、ＣＭ情報に含まれる出力順序に従って、先ずＣＭ１が発呼側携帯電話機１０のスピーカから出力される。このＣＭ１の所要時間が１秒であるとすると、１秒経過後にＣＭ１が終わり、次に、第２番目に設定されているＣＭ２がスピーカから出力される。このＣＭ２の所要時間が１秒であるとすると、１秒経過後にＣＭ２が終わり、次に、第３番目に設定されているＣＭ３がスピーカから出力される。このＣＭ３の所要時間が１秒であるとすると、１秒経過後にＣＭ３が終わると、この時までに着呼側との接続回線設定が確立していれば、ＣＭ３の出力が終了する、ＣＭ情報の出力完了の信号が携帯電話会社１２の伝達装置１４に送信され、これに伴って、発呼側携帯電話機１０のスピーカの出力はコール音に切り替わる。発呼側携帯電話機１０の使用者は携帯電話機１０を耳に当てながら着呼側の応答を待つことになる。ＣＭ情報の出力完了からコール音への切換えは、予め携帯電話機１０にインストールしたプログラムによって行うようにしてもよい。
【００４２】
図７は、ＣＭ情報を出力している最中に、着呼側が応答した場合の例である。発呼側携帯電話機１０がＣＭ情報（ＣＭ１〜３）を受信すると、第１番目に設定されているＣＭ１から出力が行われる。このＣＭ１の出力が終わると、第２番目に設定されているＣＭ２が発呼側携帯電話機１０のスピーカから出力されことになるが、発呼側携帯電話機１０からＣＭ配信装置２２にＣＭ１を終了したことを知らせるＣＭ１完了信号が送信される。第２番目のＣＭ２も同様であり、このＣＭ２が終わると、ＣＭ２を終了したことを知らせるＣＭ２完了信号がＣＭ配信装置２２に送信される。第３番目のＣＭ３も同様であり、このＣＭ３が終わると、ＣＭ３を終了したことを知らせるＣＭ３完了信号がＣＭ配信装置２２に送信される。この図７の例では、発呼側携帯電話機１０のスピーカからＣＭ３を流している最中に着呼側の応答があると、着呼側の電話機２０から出力される応答信号を受けて発呼側携帯電話機１０はＣＭ情報の出力が強制終了され、通話可能な状態となる。また、発呼側携帯電話機１０からＣＭ３が途中で終わった旨を知らせるＣＭ３強制終了信号がＣＭ配信装置２２に送信される。
【００４３】
例えば、ＣＭ１を可能な限り何回もリピートする場合には、発呼側携帯電話機１０がリピートした回数、つまり、２回のリピートは完全に実行されたものの第３回目のリピートが終わる前に着呼側が応答して通話を開始したときには、リピート回数は「２回」である旨の情報がＣＭ配信装置２２に送信される。
【００４４】
図７に例示した例によれば、着呼側の電話機２０が応答すると直ちに、発呼側携帯電話機１０から流れているＣＭ情報が終了されるため、着呼側及び発呼側の使用者に違和感を感じさせることなく通話を始めることができる。また、ＣＭ配信装置２２は、配信した３つのＣＭ情報（ＣＭ１〜３）が発呼側携帯電話機１０で出力されたか否かを、各ＣＭが終了する毎に発呼側携帯電話機１０からＣＭ配信装置２２に送信される各ＣＭ完了信号又はＣＭ強制終了信号によって確認することができる。
【００４５】
ＣＭ配信装置２２は、「ＣＭ完了信号」を受け取ったＣＭ情報(上記の例ではＣＭ１、ＣＭ２)については当該ＣＭ情報の配信回数をインクリメントし、「ＣＭ強制終了信号」を受け取ったＣＭ情報（上記の例ではＣＭ３）については当該ＣＭ情報の配信回数のインクリメントを行わない処理を行うことができる。これにより、確実にＣＭを配信した回数で広告主から広告配信料金を徴収することが可能になる。
【００４６】
通話後に発呼側携帯電話機１０に出力される詳細ＣＭは、音声と画像とを含んでいてもよいが画像だけであってもよい。詳細ＣＭの画像に広告主のホームページのアドレスを埋め込んでおいてもよい。これにより、発呼側携帯電話機１０の所有者は、目にしたＣＭ情報の商品や広告主に興味を持ったときには、広告主のホームページにアクセスして更に詳細な情報を入手することができる。勿論、詳細ＣＭを発呼側携帯電話機１０から出力し、その全てを出力し終わったら、詳細ＣＭ出力完了情報を発呼側携帯電話機１０の内部メモリに記録し、適当な時に、この詳細ＣＭ出力完了情報をＣＭ配信装置２２に送信するのがよい。ＣＭ配信装置２２は、「詳細ＣＭ出力完了信号」を受け取ることで、当該ＣＭ情報の配信を的確に管理することができる。
【００４７】
実施例の広告方法によれば、発呼側携帯電話機１０を使用する者にとって、回線接続設定処理中を含めて着呼側が応答するまでの待ち時間にＣＭを聞くことになる。そして、このＣＭ情報は、携帯電話の伝達装置１４を経由して発呼側携帯電話機１０に送信されるため、携帯電話会社１２はＣＭ配信の手数料を広告主から徴収することができ、これにより携帯電話機１０の通話料を割り引く又は無料化する途を開くことができる。
【００４８】
また、実施例の広告方法によれば、ＣＭの配信領域として日本全国という広域広告と、広告主が指定した領域に限定したローカル広告とを含むため、配信する領域の広さによって広告料を設定することができるため、地域社会に密着した小さな商店であってもＣＭ配信サービスを利用するのが容易になる。
【００４９】
また、携帯電話機１０の所有者が、配信を受けるＣＭのジャンルを選択できることから、配信する側の広告主にとってターゲットを絞り込んでＣＭを配信することができる。また、ＣＭ配信装置２２から携帯電話機１０にＣＭを配信する際に、所有者の会員登録情報に含まれる性別や年齢（世代）によって配信するか否かを決定することで広告主にとってターゲットを絞り込んだＣＭ配信を容易に実施することができる。
【００５０】
また、携帯電話機１０の所有者が、配信を受けるＣＭのジャンルを変更したときに、この変更を会員登録情報に反映すると共に、会員登録情報のジャンル更新履歴ログを作成することから、会員登録情報から、当該会員が今現在興味を持っているジャンルやその嗜好の変遷を知ることできるため、会員登録情報そのものを市場調査に有効に活用することができる。
【００５１】
また、発呼側携帯電話機１０に配信するＣＭ情報に加えて公共情報を含めて配信するときには、迷子のペットの特徴を音声で知らせると共に写真を表示させることができる。勿論、地震予告など緊急を要する情報を携帯電話機１０に流すことで防災上重要とされる初期情報により多くの人にリスク回避行動をとるように直接的に促すことができる。
【符号の説明】
【００５２】
１０    携帯電話機
１０ａ  携帯電話機のディスプレー
１２    携帯電話会社
１４    伝達装置
１６    ホームメモリ
１８    無線基地局
２０    着呼側電話機
２２    ＣＭ配信装置
３０    セル
４０    無線ネットワーク制御装置
４２    加入者交換機又は加入者パケット交換機
４４    中継交換機
【図１】
2010050959.tif 000003
【図２】
2010050959.tif 000004
【図３】
2010050959.tif 000005
【図４】
2010050959.tif 000006
【図５】
2010050959.tif 000007
【図６】
2010050959.tif 000008
【図７】
2010050959.tif 000009
【図８】
2010050959.tif 000010